(57)【特許請求の範囲】
【請求項１】
鉄筋篭の代り又は鉄筋篭の一部に、既製コンクリート杭を使用した現場造成杭であって、前記既製コンクリート杭の下端を、該既製コンクリート杭より大径の拡底状コンクリート根部内に挿入し、前記既製コンクリート杭の内孔と、外側壁と杭穴との間にコンクリートを、該コンクリートの上面が地表に達するまで充填硬化して一体的コンクリート杭としたことを特徴とする現場造成コンクリート杭。
【請求項２】
鉄筋篭の代り又は鉄筋篭の一部に、既製コンクリート杭を使用した現場造成杭であって、前記既製コンクリート杭の下端を、該既製コンクリート杭より大径であって、先端に向けて順次外径を拡大した拡底状のコンクリート根部内に挿入し、前記既製コンクリート杭の内孔と、外側壁と杭穴との間にコンクリートを、該コンクリートの上面が地表に達するまで充填硬化して一体的コンクリート杭としたことを特徴とする現場造成コンクリート杭。
【請求項３】
鉄筋篭の代り又は鉄筋篭の一部に、既製コンクリート杭を使用した現場造成杭に使用する既製コンクリート杭であって、 側壁に内側との連通孔を設けた既製コンクリート杭の下端を、拡底状のコンクリート根部内に挿入すると共に、前記既製コンクリート杭の内孔、連通孔及び外側壁と杭穴との間にコンクリートを、該コンクリートの上面が地表に達するまで充填硬化して一体的コンクリート杭としたことを特徴とする現場造成コンクリート杭。
【請求項４】
鉄筋篭の代り又は鉄筋篭の一部に、既製コンクリート杭を使用した現場造成杭に使用する既製コンクリート杭であって、前記側壁に凹凸部を設けた既製コンクリート杭の下端を、拡底状のコンクリート根部内に挿入すると共に、前記既製コンクリート杭の内孔及び外側壁と杭穴との間にコンクリートを、該コンクリートの上面が地表に達するまで充填硬化して一体的コンクリート杭としたことを特徴とする現場造成コンクリート杭。
【請求項５】
鉄筋篭の代り又は鉄筋篭の一部に、既製コンクリート杭を使用した現場造成杭工法であって、現場杭造成位置に杭穴を掘削すると共に、所定大きさの拡底部を設ける。次にトレミー管を入れ、コンクリートを拡底部へ充填してトレミー管を取り出し、必要数の既製のコンクリート杭を所定間隔で挿入設置した後、コンクリート杭内へトレミー管を挿入し、杭穴の下端側よりコンクリートを充填しつつトレミー管を引き上げ、コンクリート杭内及び杭穴内へコンクリートを、該コンクリートの上面が地表に達するまで充填して、コンクリート杭と充填コンクリートとを一体的に硬化させることを特徴とした現場造成コンクリート杭の造成工法。
【請求項６】
鉄筋篭の代り又は鉄筋篭の一部に、既製コンクリート杭を使用した現場造成杭であって、現場杭造成位置に、所定の杭穴を掘削し、これに所定の拡底部を設け、ついで杭穴内へ下部用の鉄筋篭を挿入すると共に、前記鉄筋篭の上部へ既製コンクリート杭を挿入した後、前記既製コンクリート杭と鉄筋篭内へトレミー管を挿通し、該トレミー管の下端からコンクリートを押し出し、トレミー管を引き上げながら、杭穴及び鉄筋篭と既製コンクリート内へコンクリートを、該コンクリートの上面が地表に達するまで充填し、該コンクリートを硬化させることを特徴とした現場造成コンクリート杭の造成工法。
【請求項７】
既製コンクリート杭の下端部の鉄筋と、鉄筋篭の上端部とは連結したことを特徴とする請求項６記載の現場造成コンクリート杭の造成工法。
【発明の詳細な説明】
【０００１】
【産業上の利用分野】
この発明は支持力の大きい杭を得ることを目的とした現場造成杭及びその造成工法に関する。
【０００２】
【従来の技術】
従来現場に杭穴を掘り、鉄筋篭を入れてからコンクリートを充填固化する現場造成杭が知られている。
【０００３】
また現場で杭穴を掘り、これに既製杭を挿入設置した後、杭穴底および既製杭の外側に杭周固定液を充填する既製杭の貫入工法が知られている（特開昭６２−２５３８１７号）。
【０００４】
【発明により解決すべき課題】
前記従来の技術中、前者の現場造成の鉄筋コンクリート杭は、著しく大径の杭が出来る反面、全体均一強度とすることがむつかしく、かつ時間、労力が多大に掛る問題点がある。また後者は元来既製杭の貫入工法であって、既製杭の補強にはなるけれども、独立した現場造成杭とはなり得ない問題点があった。
【０００５】
例えば、直径５０cmの既製杭を直径６０cmの杭穴に貫入することはできても、直径１００cmの現場造成杭にすることはできない。
【０００６】
【課題を解決するための手段】
然るにこの発明は、既製杭を鉄筋篭の代り又はその一部に使用することにより、前記従来の問題点を解決したのである。
【０００７】
即ち物の発明は、鉄筋篭の代り又は鉄筋篭の一部に、既製コンクリート杭を使用した現場造成杭であって、前記既製コンクリート杭の下端を、該既製コンクリート杭より大径の拡底状コンクリート根部内に挿入し、前記既製コンクリート杭の内孔と、外側壁と杭穴との間にコンクリートを、該コンクリートの上面が地表に達するまで充填硬化して一体的コンクリート杭としたことを特徴とする現場造成コンクリート杭である。また他の物の発明は、鉄筋篭の代り又は鉄筋篭の一部に、既製コンクリート杭を使用した現場造成杭であって、前記既製コンクリート杭の下端を、該既製コンクリート杭より大径であって、先端に向けて順次外径を拡大した拡底状のコンクリート根部内に挿入し、前記既製コンクリート杭の内孔と、外側壁と杭穴との間にコンクリートを、該コンクリートの上面が地表に達するまで充填硬化して一体的コンクリート杭としたことを特徴とする現場造成コンクリート杭である。次に他の物の発明は、鉄筋篭の代り又は鉄筋篭の一部に、既製コンクリート杭を使用した現場造成杭に使用する既製コンクリート杭であって、 側壁に内側との連通孔を設けた既製コンクリート杭の下端を、拡底状のコンクリート根部内に挿入すると共に、前記既製コンクリート杭の内孔、連通孔及び外側壁と杭穴との間にコンクリートを、該コンクリートの上面が地表に達するまで充填硬化して一体的コンクリート杭としたことを特徴とする現場造成コンクリート杭である。更に他の物の発明は、鉄筋篭の代り又は鉄筋篭の一部に、既製コンクリート杭を使用した現場造成杭に使用する既製コンクリート杭であって、前記側壁に凹凸部を設けた既製コンクリート杭の下端を、拡底状のコンクリート根部内に挿入すると共に、前記既製コンクリート杭の内孔及び外側壁と杭穴との間にコンクリートを、該コンクリートの上面が地表に達するまで充填硬化して一体的コンクリート杭としたことを特徴とする現場造成コンクリート杭である。
【０００８】
また工法の発明は、鉄筋篭の代り又は鉄筋篭の一部に、既製コンクリート杭を使用した現場造成杭工法であって、現場杭造成位置に杭穴を掘削すると共に、所定大きさの拡底部を設ける。次にトレミー管を入れ、コンクリートを拡底部へ充填してトレミー管を取り出し、必要数の既製のコンクリート杭を所定間隔で挿入設置した後、コンクリート杭内へトレミー管を挿入し、杭穴の下端側よりコンクリートを充填しつつトレミー管を引き上げ、コンクリート杭内及び杭穴内へコンクリートを、該コンクリートの上面が地表に達するまで充填して、コンクリート杭と充填コンクリートとを一体的に硬化させることを特徴とした現場造成コンクリート杭の造成工法である。
【０００９】
また他の工法の発明は、鉄筋篭の代り又は鉄筋篭の一部に、既製コンクリート杭を使用した現場造成杭であって、現場杭造成位置に、所定の杭穴を掘削し、これに所定の拡底部を設け、ついで杭穴内へ下部用の鉄筋篭を挿入すると共に、前記鉄筋篭の上部へ既製コンクリート杭を挿入した後、前記既製コンクリート杭と鉄筋篭内へトレミー管を挿通し、該トレミー管の下端からコンクリートを押し出し、トレミー管を引き上げながら、杭穴及び鉄筋篭と既製コンクリート内へコンクリートを、該コンクリートの上面が地表に達するまで充填し、該コンクリートを硬化させることを特徴とした現場造成コンクリート杭の造成工法である。
【００１０】
前記においては、何れも一本の既製杭を用いたが、複数本用いることも可能である。例えば直径３ｍの造成杭を構築するには、直径８０cmの既製コンクリート杭５本使用する。
【００１１】
前記において、杭穴の根部に充填するコンクリートは、既製コンクリート杭（又は鉄筋篭）を挿入する前に充填したが、先づ既製コンクリート杭を挿入し、ついでトレミー管を介しコンクリートを充填することもできる。
【００１２】
前記工法の発明において、鉄筋篭の上端と既製コンクリートの下端部とは、両者の鉄筋の交叉、金属結合又は溶接など、現場に応じた連結方法をとる。
【００１３】
また既製コンクリートの長さは、地層による変動を考慮し、曲げ応力その他の外力が大きく働く深さをカバーすることを目的としており、５ｍ乃至２０ｍが普通である。
【００１４】
【作用】
この発明によれば、鉄筋篭に代えて既製コンクリート杭を使用するので、現場における作業量を減少すると共に、現場造成杭の強度的信頼性を向上することができる。また既製杭を用いて大径（例えば直径１ｍ以上）の現場造成杭ができる。
【００１５】
【実施例１】
この発明の実施例を図１、５、６、７、８、９、１０について説明する。
【００１６】
現場造成杭の設置予定地へ杭穴１を掘削ロッド２により掘削し、ついで掘削ヘッド３に代えて杭穴１の下部に拡底部４を設ける。拡底部４は、断面矩形の場合もあるが、図１、６、７は断面を截頭円錐形とした。
【００１７】
ついで既製のコンクリート杭５を挿入した後（図７）トレミー管６を挿入し（図８）、トレミー管６を介してコンクリート７を充填する。
【００１８】
次にトレミー管６を矢示８のように上昇させ乍らコンクリート７を充填すれば、コンクリート７はコンクリート杭５の内孔５ａのみならず杭穴１の内壁１ａと、コンクリート杭５の外壁５ｂとの空隙９にも逐次充填され、コンクリート７の上面が地表１０に達した点で充填を中止し、コンクリート７を硬化すれば、この発明の現場打コンクリート杭１１が造成できる。
【００１９】
前記実施例によれば、鉄筋篭に代えてコンクリート杭を用いたので、造成された杭の強度的信頼度が高いことは勿論、現場におけるコンクリート使用量も少なく、工期を短縮化することができる。
【００２０】
【実施例２】
この実施例は、図２、３に示す如く、コンクリート杭１２の側壁に内外連通孔１３を設け、又は、コンクリート杭１４の外壁に凸部１７を設け場所打コンクリート杭１８、１９としたものである。
【００２１】
従って杭穴１の掘削及びコンクリート杭の挿入工法は実施例１と同様につきその説明を省畧する。
【００２２】
前記実施例によれば、コンクリート杭１２、１４と、現場打のコンクリート７との一体性が一層緊密化する利点がある。
【００２３】
【実施例３】
図４（ａ）、（ｂ）の実施例は、杭穴１内にコンクリート杭１５を５本挿入したものである。例えば内径３ｍの杭穴１６に外径８０cmのコンクリート杭１５を５本、所定間隔で挿入し、各杭の相互間にコンクリート７を充填して、外径３ｍの現場杭を造成したものである。
【００２４】
前記のように、必要とする現場杭の外径が大きい場合には、複数のコンクリート杭を使用することによって、均等支持力を備えた現場杭を容易に造成できる。
【００２５】
【実施例４】
この発明の他の実施例を図１０、１１に基づいて説明する。
【００２６】
図１０において、現場造成杭の設置予定地へ杭穴１を掘削し、杭穴１の下部に拡底部４を設けた後、鉄筋篭２０を挿入すると共に、鉄筋篭２０の上端部へ、既製コンクリート杭２１の下端に突出した鉄筋２２を連結して、既製コンクリート杭２１も挿入設置する。
【００２７】
次に既製コンクリート杭２１と、鉄筋篭２０内へトレミー管を挿入し、ついでトレミー管の先端からコンクリート７を充填しつつ上昇させ、鉄筋篭２０の内外と、既製コンクリート杭２１の内外へコンクリート７を充填し、地表１０と面一になったならば、充填を中止する。
【００２８】
前記コンクリート７を硬化し、既製コンクリート杭２１及び鉄筋篭２０と一体化すればこの発明の現場打コンクリート杭２３ができる。
【００２９】
前記実施例においては、杭穴１掘削後、先づ杭穴１へ鉄筋篭２０と既製コンクリート杭２１を挿入し、ついでトレミー管を介してコンクリート７を充填したけれども、前記鉄筋篭２０を入れる前に所定量のコンクリート７を充填し、ついで鉄筋篭２０及び既製コンクリート杭２１を挿入することもできる。図１１は、前記実施例における各１本の鉄筋篭に代えて２本の鉄筋篭２０、２０と既製コンクリート杭２１、２１とを挿入したものであって、大径の場所打杭２４を造成する場合には、既製コンクリート杭２１を２本用いるのみならず、３本以上使用することもある。
【００３０】
また杭穴１を平面楕円形にして、平面楕円形のコンクリート杭を用い、又は平面円形のコンクリート杭を複数本使用することもできる。
【００３１】
【発明の効果】
この発明は、現場に掘削した杭穴へ既製のコンクリート杭又は既製コンクリート杭と鉄筋篭とを挿入設置し、該コンクリート杭等の内外へコンクリートを充填し、一体的に硬化させたので、支持力の信頼度の高い現場造成杭を容易に造成し得る効果がある。然して大径（直径３ｍなど）の現場造成杭も容易かつ高強度に造成できる効果がある。
【００３２】
然して現場打コンクリートが比較的少ないのみならず、既製コンクリート杭は造成直後から所定の強度を保有しているので、作業性がきわめてよく工期を短縮し得るなどの諸効果がある。
【図面の簡単な説明】
【図１】この発明の実施例の断面図。
【図２】同じく他の実施例の断面図。
【図３】同じくコンクリート杭の外壁に凹凸を設けた実施例の断面図。
【図４】（ａ） 同じく複数のコンクリート杭を用いた実施例の断面図。
（ｂ） 同じく平面図。
【図５】この発明の工法の実施例における杭穴掘削の断面図。
【図６】同じく拡底部の掘削を示す断面図。
【図７】同じくコンクリート杭を挿入した断面図。
【図８】同じくトレミー管によりコンクリートを一部充填した断面図
【図９】同じくトレミー管を上昇しつつコンクリートを充填する時の断面図。
【図１０】同じく他の実施例の断面図。
【図１１】同じく複数本の既製コンクリート杭を用いた場合の断面図である。
【符号の説明】
１ 杭穴
２ 掘削ロッド
３ 掘削ヘッド
４ 拡底部
５ コンクリート杭
６ トレミー管
７、１２、１４、１５ コンクリート
９ 空隙
１０ 地表
１１ 現場打コンクリート杭
１３ 連通孔
１４、２１ コンクリート杭
１８、１９ 場所打コンクリート杭
２０ 鉄筋篭
２２ 鉄筋
【図１】
0003586839.tif 000002
【図２】
0003586839.tif 000003
【図３】
0003586839.tif 000004
【図４】
0003586839.tif 000005
【図５】
0003586839.tif 000006
【図６】
0003586839.tif 000007
【図７】
0003586839.tif 000008
【図８】
0003586839.tif 000009
【図９】
0003586839.tif 000010
【図１０】
0003586839.tif 000011
【図１１】
0003586839.tif 000012